(57)【要約】【課題】静電気に起因する原稿の重送や斜行を防止できる画像読取装置を提供する。【解決手段】画像形成装置１ＡにおいてＡＤＦ１７２による原稿の給送を行う場合、摩擦による静電気が発生し、静電気に起因する原稿の重送や斜行が発生する恐れがある。このような原稿の重送や斜行を防止するため、画像形成装置１Ａにおいては、給紙トレイ１７２及び排紙トレイ１７６に導電性が付与されており、原稿を供給口から供給するときや原稿を排出口へ排出するときに発生する静電気を除去するようになっている。【選択図】図１
2006319708.tif 000002
【特許請求の範囲】
【請求項１】
読み取り対象の画像が形成された原稿を供給口から排出口へ給送する画像読取装置であって、
前記供給口又は前記排出口となる原稿トレイに導電性が付与されていることを特徴とする画像読取装置。
【請求項２】
請求項１に記載の画像読取装置において、
前記原稿トレイを形成する素材に導電性物質が混入されていることを特徴とする画像読取装置。
【請求項３】
読み取り対象の画像が形成された原稿を供給口から排出口へ給送する画像読取装置であって、
前記供給口又は前記排出口となる原稿トレイに、バータイプの除電器が設けられていることを特徴とする画像読取装置。
【請求項４】
読み取り対象の画像が形成された原稿を供給口から排出口へ給送する画像読取装置であって、
前記供給口又は前記排出口となる原稿トレイに、テープ状の除電器が貼り付けされていることを特徴とする画像読取装置。
【請求項５】
請求項３又は請求項４に記載の画像読取装置において、
前記除電器の長手方向が原稿の給送方向に対して垂直となっていることを特徴とする画像読取装置。
【請求項６】
請求項３ないし請求項５のいずれかに記載の画像読取装置において、
前記除電器が、原稿の給送に応答して動作することを特徴とする画像読取装置。
【請求項７】
請求項３ないし請求項５のいずれかに記載の画像読取装置において、
前記除電器が、前記原稿トレイへの原稿の載置に応答して動作することを特徴とする画像読取装置。
【発明の詳細な説明】
【技術分野】
【０００１】
本発明は、読み取り対象の画像が形成された原稿を供給口から排出口へ給送する画像読取装置に関する。
【背景技術】
【０００２】
従来より、ＭＦＰ（Multi Function Peripherals）等の画像形成装置に含まれる画像読取装置には、読み取り対象の画像が形成された原稿を供給口から排出口へ給送する自動原稿給送装置（ＡＤＦ；Automatic Document Feeder）が設けられている。当該画像読取装置は、供給口となる原稿トレイにセットされた原稿を１枚ずつ取り込んで原稿上の画像の読み取りを行い、排出口となる別の原稿トレイへ原稿を排出している。
【０００３】
このような画像読取装置では、原稿の給送により発生する静電気を除電することが望まれている。例えば、特許文献１には、画像読取装置の内部で静電気を除去する技術が開示されている。
【０００４】
【特許文献１】特開平１１−４９３９６号公報
【発明の開示】
【発明が解決しようとする課題】
【０００５】
しかし、従来の技術では、原稿を供給口から供給するときや原稿を排出口へ排出するときに発生する静電気を除去することができないため、静電気に起因する原稿の重送や斜行を防止できない場合もあった。
【０００６】
本発明は、この問題を解決するためになされたもので、静電気に起因する原稿の重送や斜行を防止できる画像読取装置を提供することを目的とする。
【課題を解決するための手段】
【０００７】
上記課題を解決するため、請求項１の発明は、読み取り対象の画像が形成された原稿を供給口から排出口へ給送する画像読取装置であって、前記供給口又は前記排出口となる原稿トレイに導電性が付与されている。
【０００８】
請求項２の発明は、請求項１に記載の画像読取装置において、前記原稿トレイを形成する素材に導電性物質が混入されている。
【０００９】
請求項３の発明は、読み取り対象の画像が形成された原稿を供給口から排出口へ給送する画像読取装置であって、前記供給口又は前記排出口となる原稿トレイに、バータイプの除電器が設けられている。
【００１０】
請求項４の発明は、読み取り対象の画像が形成された原稿を供給口から排出口へ給送する画像読取装置であって、前記供給口又は前記排出口となる原稿トレイに、テープ状の除電器が貼り付けされている。
【００１１】
請求項５の発明は、請求項３又は請求項４に記載の画像読取装置において、前記除電器の長手方向が原稿の給送方向に対して垂直となっている。
【００１２】
請求項６の発明は、請求項３ないし請求項５のいずれかに記載の画像読取装置において、前記除電器が、原稿の給送に応答して動作する。
【００１３】
請求項７の発明は、請求項３ないし請求項５のいずれかに記載の画像読取装置において、前記除電器が、前記原稿トレイへの原稿の載置に応答して動作する。
【発明の効果】
【００１４】
請求項１ないし請求項７の発明によれば、原稿を供給口から供給するときや原稿を排出口へ排出するときに発生する静電気が除去されるので、静電気に起因する原稿の重送や斜行を防止することができる。
【００１５】
請求項２ないし請求項４の発明によれば、原稿トレイを形成する素材が帯電性を有する場合でも、静電気に起因する原稿の重送や斜行を防止することができる。
【００１６】
請求項５の発明によれば、原稿の広い範囲から静電気が除去されるので、静電気に起因する原稿の重送や斜行をより効果的に防止することができる。
【００１７】
請求項６又は請求項７の発明によれば、原稿の給送を行わないときには電力を消費しないので、画像読取装置の消費電力を削減することができる。
【発明を実施するための最良の形態】
【００１８】
｛１  第１実施形態｝
＜１．１  構成＞
図１及び図２は、本発明の第１実施形態に係る画像形成装置１Ａの概略構成を示す図であり、図１はブックカバー１７を閉じた状態の斜視図に相当し、図２はブックカバー１７を開いた状態の斜視図に相当する。この画像形成装置１Ａは、プリンタ機能、スキャナ機能、ファクシミリ機能及びコピー機能を有する複合機（ＭＦＰ；Multi Function Peripherals）となっている。
【００１９】
図１及び図２に示すように、画像形成装置１Ａは、筐体ＨＳの上面に設けられた画像読取部１１と、筐体ＨＳにおいて前方へ突出した表示部１３及び操作部１４と、筐体ＨＳの下部に設けられた給紙部１５と、筐体ＨＳに内蔵された画像記録部（不図示）とを備える。さらに、画像形成装置１Ａには、フィニッシング処理を行うフィニッシャ１６が筐体ＨＳの側面に装着され、読み取り対象の画像が形成された原稿を供給口から排出口へ給送する自動原稿給送装置（ＡＤＦ；Automatic Document Feeder）１７２を備えるブックカバー１７が筐体ＨＳの上面に取り付けられる。
【００２０】
画像読取部１１は、ＦＢＳ(Flat Bed Scanner)方式及びＡＤＦ方式により、原稿上の画像の読取を行う。図２に示すように、筐体ＨＳの上面には、ＦＢＳ方式による原稿上の画像の読取部となる原稿ガラス１１１ａと、ＡＤＦ方式による原稿上の画像の読取部となる原稿ガラス１１１ｂとが設けられる。原稿ガラス１１１ａ,１１１ｂは、平坦な透明ガラス板で構成されており、筐体ＨＳの内部であってガラス板の下方に設けられた光源から、ガラス板上の原稿への照射光を透過するとともに、ガラス板上の原稿から、筐体ＨＳの内部であってガラス板の下方に設けられたＣＣＤ(Charge Coupled Device)イメージセンサへの反射光を透過する。画像読取部１１及びＡＤＦ１７２は、画像形成装置１Ａに含まれる画像読取装置の要部となっている。
【００２１】
画像形成装置１Ａには、ユーザインターフェースとして、表示部１３及び操作部１４が設けられる。表示部１３は、液晶ディスプレイ等の表示デバイスで構成され、各種情報を表示するために用いられる。操作部１４は、メカニカルスイッチで構成され、各種指示を画像形成装置１Ａに与えるために用いられる。なお、表示部１３をタッチパネルディスプレイで構成して、表示部１３が操作部１４の一部又は全部の機能を兼ね備えるようにしてもよい。
【００２２】
給紙部１５は、前方に引き出し可能な４個の給紙カセット１５１〜１５４を備える。各給紙カセット１５１〜１５４には、所定のサイズ（例えば、Ａ４，Ｂ５等）の記録紙（記録媒体）が所定の方向（縦、横）で格納される。
【００２３】
フィニッシャ１６は、画像が形成された記録紙に、ステープル加工やパンチ加工等のフィニッシング処理を施して、排紙トレイ１６１に出力する。図１及び図２における矢印ＡＲ１は、画像が形成された記録紙の排出方向を示している。
【００２４】
ブックカバー１７は、ヒンジ１７１を軸として開閉可能となっている。ブックカバー１７の上面に設けられたＡＤＦ１７２は、原稿の供給口となる原稿トレイ（以下では、「給紙トレイ」とも称する）１７３を備えており、原稿ガイド１７４ａ，１７４ｂに沿って差込口１７５にセット（差込）された原稿を原稿ガラス１１１ｂへ１枚ずつ給送する。そして、ＡＤＦ１７２は、原稿ガラス１１１ｂにおける画像の読み取りが終了した原稿を、排出口となる、給紙トレイ１７３の下方の原稿トレイ（以下では、「排紙トレイ」とも称する）１７６へ排出する。なお、一組の原稿ガイド１７４ａ，１７４ｂのうちの一方（ここでは、原稿ガイド１７４ｂ）は、原稿の幅方向に可動となっている。図１及び図２における矢印ＡＲ２０１及びＡＲ２０２は、それぞれ、給紙トレイ１７３及び排紙トレイ１７６における記録紙の移動方向を示している。
【００２５】
筐体ＨＳに内蔵された画像記録部は、電子写真方式により記録紙に画像を形成することができる。
【００２６】
このような画像形成装置１Ａは、例えば、スキャナ機能、ファクシミリ機能及びコピー機能が用いられている場合に、操作部１４のスタートボタン１４ａの押下操作を検出すると、給紙トレイ１７３の上に載置されている原稿を１枚づつ取り込んで原稿上の画像の読み取り（画像データの生成）を行い、排紙トレイ１７６へ原稿を排出している。
【００２７】
＜１．２  静電気の除去について＞
画像形成装置１ＡにおいてＡＤＦ１７２による原稿の給送を行う場合、摩擦による静電気が発生し、静電気に起因する原稿の重送や斜行が発生する恐れがある。
【００２８】
このような原稿の重送や斜行を防止するため、画像形成装置１Ａにおいては、給紙トレイ１７２及び排紙トレイ１７６に導電性が付与されており、原稿を供給口から供給するときや原稿を排出口へ排出するときに発生する静電気を除去するようになっている。
【００２９】
給紙トレイ１７２及び排紙トレイ１７６への導電性の付与は、例えば、給紙トレイ１７２及び排紙トレイ１７６を金属で形成することにより実現してもよいが、給紙トレイ１７２及び排紙トレイ１７６をプラスチック等の帯電性を有する素材で形成する場合でも、給紙トレイ１７２及び排紙トレイ１７６を形成する素材に導電性物質を混入させることにより実現することもできる。
【００３０】
より具体的には、給紙トレイ１７２及び排紙トレイ１７６をプラスチックで形成する場合、帯電防止剤を成型加工時に練り込んでおけば、給紙トレイ１７２及び排紙トレイ１７６の表面に当該帯電防止剤が染み出して導電層が形成され、給紙トレイ１７２及び排紙トレイ１７６に導電性を付与することができる。
【００３１】
あるいは、給紙トレイ１７２及び排紙トレイ１７６をプラスチックで形成する場合、カーボンブラックや金属粉等の導電性を有する粉体を成型加工時に添加、混入することにより、給紙トレイ１７２及び排紙トレイ１７６に導電性を付与することができる。
【００３２】
なお、給紙トレイ１７２及び排紙トレイ１７６への導電性の付与方法はこれらの方法に制限されず、例えば、給紙トレイ１７２及び排紙トレイ１７６の表面に蒸着やスパッタにより金属膜等の導電性膜を形成することにより実現してもよい。
【００３３】
このようにして導電性が付与された給紙トレイ１７２及び排紙トレイ１７６は、望ましくは、電気的に接地されることにより、効率的に静電気を除去可能となる。
【００３４】
｛２  第２実施形態｝
＜２．１  静電気の除去について＞
本発明の第２実施形態に係る画像形成装置１Ｂは、画像形成装置１Ａと類似の構成を有するが、画像形成装置１Ａと異なり、除電器により、原稿を供給口から供給するときや原稿を排出口へ排出するときに発生する静電気を除去するようになっている。より具体的には、図３に示すように、画像形成装置１Ｂの給紙トレイ１７２及び排紙トレイ１７６には、除電器２０１，２０２が設けられ、表面に等間隔で配列された放電針又は放電点によりイオン化されたエアを上方の原稿に吹き付けることにより静電気を除去している。なお、図３は、画像形成装置１Ｂの概略構成を示す図（ブックカバー１７を閉めた状態）である。
【００３５】
画像形成装置１Ｂで用いられる除電器２０１，２０２は、望ましくは、長尺形状を有するバータイプ又はテープ状の除電器である。バータイプの除電器としては、例えば、株式会社キーエンス製「バータイプ・コントローラ内蔵除電器ＳＪ−Ｒ」や、より小型の株式会社ＴＲＩＮＣ製「バータイプ除電器」を用いることができる。また、テープ状の除電器としては、例えば、株式会社ＴＲＩＮＣ製「テープ状除電器」等のプラスチック素材で形成された軽量なものを用いることができる。
【００３６】
給紙トレイ１７３及び排紙トレイ１７６への除電器２０１，２０２の設置は、バータイプの場合、除電器２０１，２０２を埋め込み可能な凹部を給紙トレイ１７３及び排紙トレイ１７６に形成し、当該凹部に除電器２０１，２０２をはめ込むことにより行われ、テープ状の場合、給紙トレイ１７３及び排紙トレイ１７６に除電器２０１，２０２を貼り付けることにより行われる。もちろん、給紙トレイ１７３と除電器２０１と一体的に形成するとともに、排紙トレイ１７６と除電器２０２とを一体的に形成することも妨げられない。
【００３７】
除電器２０１及び２０２の長手方向は、それぞれ、給紙トレイ１７３及び排紙トレイ１７６における原稿の給送方向ＡＲ２０１，ＡＲ２０２に対して垂直となっている。これにより、画像形成装置１Ｂでは、原稿の広い範囲から静電気を除去することができ、静電気に起因する原稿の重送や斜行をより効果的に防止することができる。
【００３８】
また、除電器２０１及び２０２は、常に動作した状態にしておいてもよいが、スタートボタン１４ａの押下に応答して実行される、ＡＤＦ１７２における原稿の給送に応答して動作するようにすれば、原稿の給送を行っておらず静電気が発生しないときには電力を消費しないので、画像形成装置１Ｂの消費電力を削減可能である。あるいは、給紙トレイ１７３及び排紙トレイ１７６への原稿の載置を検出するセンサを設けて、給紙トレイ１７３及び排紙トレイ１７６への原稿の載置に応答して除電器２０１及び２０２を動作させるようにしても、画像形成装置１Ｂの消費電力を削減可能である。
【図面の簡単な説明】
【００３９】
【図１】本発明の第１実施形態に係る画像形成装置１Ａの概略構成を示す図である。
【図２】本発明の第１実施形態に係る画像形成装置１Ａの概略構成を示す図である。
【図３】本発明の第２実施形態に係る画像形成装置１Ｂの概略構成を示す図である
【符号の説明】
【００４０】
１Ａ，１Ｂ  画像形成装置
１３  表示部
１４  操作部
１７２  自動原稿給送装置（ＡＤＦ）
１７３  給紙トレイ
１７６  排紙トレイ
２０１，２０２  除電器
ＡＲ２０１，ＡＲ２０２  原稿の移動方向
【図１】
2006319708.tif 000003
【図２】
2006319708.tif 000004
【図３】
2006319708.tif 000005